(57)【要約】【課題】複数のテレビの設定を効率的に行うことができる技術を提供する。【解決手段】テレビ１０は、主制御部３０と、メモリ３１と、電源回路３２と、ユーザ操作取得部３３と、チューナ３４と、ＡＶ出力処理部４０と、通信部５０と、ＡＶ設定部６０と、表示部４３と、スピーカ４４とを備える。通信部５０は、電力線モデム５１を備え、ＰＬＣにより通信により、相互のテレビ１０同士で通信可能である。そして、マスター側テレビとして機能するテレビ１０が、スレーブ側テレビとして機能するテレビ１０に設定データを送信し、スレーブ側テレビとして機能するテレビ１０はその設定データを自身に反映させる。【選択図】図２
2010103727.tif 000002
【特許請求の範囲】
【請求項１】
相互に通信可能な表示装置であって、
当該表示装置の設定値を設定するとともに、他の表示装置で利用可能な設定値を設定する設定処理部と、
他の表示装置に対して、設定された前記設定値をＰＬＣにより送信する通信部と、
を備えることを特徴とする表示装置。
【請求項２】
前記通信部は、ＰＬＣによって他の表示装置から設定値を取得し、
前記設定処理部は、前記他の表示装置から取得した前記設定値を当該表示装置の設定値として反映させる
ことを特徴とする請求項１に記載の表示装置。
【請求項３】
前記設定処理部は、当該表示装置を他の表示装置で利用可能な設定値を設定するためにマスターとして機能させるか、または、他の表示装置からの設定値の設定を受けるスレーブとして機能させるかのいずれかを選択することを特徴とする請求項２に記載の表示装置。
【請求項４】
前記設定処理部における、当該表示装置の設定値を設定する処理及び、他の表示装置で利用可能な設定値を設定する処理において、ユーザからの操作可能にＯＳＤ表示する映像信号処理部を備えることを特徴とすると請求項２または３に記載の表示装置。
【請求項５】
前記通信部は、ＰＬＣのためのＰＬＣアダプタを備えることを特徴とする請求項１から４までのいずれかに記載の表示装置。
【請求項６】
前記設定処理部は、ＰＬＣにより通信可能な他の表示装置を検知し、検知した前記他の表示装置の中から前記設定値を送信する対象を選択することを特徴とする請求項１から５までのいずれかに記載の表示装置。
【請求項７】
前記設定処理部は、他の表示装置に送信可能な設定値が複数項目あるときに、送信すべき設定値を選択することを特徴とする請求項１から６までのいずれかに記載の表示装置。
【請求項８】
前記設定処理部は、他の表示装置で利用可能な設定値を設定するときに、当該表示装置の設定値と比較可能に表示することを特徴とする請求項１から７までのいずれかに記載の表示装置。
【請求項９】
前記設定処理部は、他の表示装置で利用可能な設定値を設定するときに、前記他の表示装置に設定済みの設定値と、送信しようとする設定値とを比較して、比較の結果得られた差分のデータを、前記他の表示装置に対してＰＬＣにより送信することを特徴とする請求項１から８までのいずれかに記載の表示装置。
【請求項１０】
当該表示装置または前記他の表示装置のいずれか一方の表示装置に、少なくともテレビ受像装置が含まれていることを特徴とする請求項１から９までのいずれかに記載の表示装置。
【請求項１１】
表示装置における設定方法であって、
他の表示装置で利用可能な設定値を設定する設定工程と、
前記設定値をＰＬＣによって他の表示装置に送信する設定値送信工程と、
を備えることを特徴とする設定方法。
【請求項１２】
ＰＬＣによって他の表示装置から当該表示装置で利用可能な設定値に関する設定データを取得する受信する設定値受信工程と、
前記取得した設定データを当該表示装置の設定値として反映させる外部データ反映工程と、
を備えることを特徴とする請求項１１に記載の設定方法。
【請求項１３】
前記設定工程は、当該表示装置の設定変更がなされたときに、その設定変更内容を他の表示装置で利用可能な前記設定値とすることを特徴とする請求項１１または１２に記載の設定方法。
【請求項１４】
ＰＬＣによって通信可能である他の表示装置を特定する接続表示装置特定工程と、
前記設定値送信工程における前記設定値の送信対象を前記接続表示装置特定工程において特定された他の表示装置から選定する送信対象選択工程と、
を備えることを特徴とする請求項１１から１３までのいずれかに記載の設定方法。
【請求項１５】
前記送信対象選択工程は、当該表示装置の設定値と送信先となる他の表示装置の設定内容を比較可能に表示することを特徴とする請求項１４に記載の設定方法。
【請求項１６】
他の表示装置に送信する設定値を選択可能に表示する設定項目選択工程を
備えることを特徴とする請求項１１から１５までのいずれかに記載の設定方法。
【請求項１７】
前記設定項目選択工程は、当該表示装置の設定値と送信先となる他の表示装置の設定内容を比較可能に表示することを特徴とする請求項１６に記載の設定方法。
【請求項１８】
請求項１１から１７までのいずれかに記載の設定方法を実行する表示装置の制御プログラムを記録したコンピュータ読み取り可能な記録媒体。
【請求項１９】
マスターとして機能する表示装置と複数のスレーブとして機能する表示装置との間で、所定の設定値を送受信するための通信方法であって、
前記マスターとして機能する表示装置が、前記スレーブとして機能する表示装置で設定可能な設定値を決定して、前記設定値をＰＬＣによって設定データとして、前記スレーブとして機能する表示装置に対して送信する設定値送信工程と、
前記スレーブとして機能する表示装置が、前記マスターとして機能する表示装置より、前記設定値送信工程で送信された前記設定データをＰＬＣによって受信して、受信した前記設定データを前記スレーブとして機能する表示装置の設定値として反映する設定値受信工程と、
を備えることを特徴とする通信方法。
【請求項２０】
前記マスターとして機能する表示装置において、ＰＬＣによって通信可能である前記スレーブとして機能する表示装置を特定する接続表示装置特定工程と、
前記接続表示装置特定工程において特定された前記スレーブとして機能する表示装置から、前記設定値送信工程における送信対象を選定する送信対象選択工程と、
を備えることを特徴とする請求項１９に記載の通信方法。
【発明の詳細な説明】
【技術分野】
【０００１】
本発明は、表示装置、表示装置の設定方法、記録媒体及び通信方法に係り、特に、相互に通信可能な表示装置、そのような表示装置の設定方法、そのような設定方法を実行する表示装置の制御プログラムを記録したコンピュータ読み取り可能な記録媒体、及び通信方法に関する。
【背景技術】
【０００２】
ホテル等の宿泊施設や病院、学校などでは、同一モデルの複数のテレビ受像装置（以下、単に「テレビ」ともいう）が設置されることがある。そして、多数のテレビが設置されたときに手間が掛かる作業の一つが、映像調整や音声調整などの各種設定である。当然に、テレビが工場出荷時の設定のまま使用されるのであれば問題はないが、視聴環境に応じてやユーザの好みに応じて設定が変更されることがある。また、これらの施設ではテレビを複数の人がそれぞれ自分用の設定に変更して使用していた後で、全てのテレビの初期設定を一斉に元の設定に戻すことも適宜行われている。
【０００３】
一般的な設定作業としては、ユーザがそれぞれのテレビにおいて、リモコン装置（以下、単に「リモコン」という）等を用いて、設定のためのメニュー画面を表示させ、所望の設定に変更する。
【０００４】
しかし、ホテルのテレビや病院などの施設において、多数のテレビの設定変更作業が求められる場合、上述のような作業は大変手間の掛かる作業である。そこで、そのような作業の効率を向上させる技術がいくつか提案されている。例えば、マスターとなるテレビにおける設定データをリモコンに転送させ、そのリモコンに転送された設定データを別のテレビに送信する技術がある（例えば、特許文献１参照）。また、ＰＬＣモデムを備えた複数の家電機器をホームネットワークシステムで連結し、いずれかの家電機器をネットワークマスター機として用い、他の機器をスレーブ機器として用いる技術がある（例えば、特許文献２参照）。
【特許文献１】特開２００７−１７４３０５号公報
【特許文献２】特開２００４−１９４２７３号公報
【発明の開示】
【発明が解決しようとする課題】
【０００５】
ところで、特許文献１に開示の技術では、テレビの設定変更に係る作業効率を向上させることができたが、リモコン装置に保存した設定データを別のテレビに送信することから、リモコンの信号が確実に送信できる環境においてのみ実現できた。電波式のリモコン装置を用いることで比較的広範囲にわたって送信可能とはなるが、やはり、電波の届く範囲に限られてしまうという課題があった。そして、一度に多くのテレビの設定変更を行いたいという要望もあり、別の技術が求められていた。また、特許文献２に開示の技術では、モデムを備えた複数の家電機器をホームネットワークで使用し、各機器を論理アドレスで管理し使用可能な家電機器の追加又は削除を行なう内容が開示されている。しかし、接続した家電機器の追加又は削除の制御手段としてＰＬＣ通信を用いる内容である。
【０００６】
本発明の目的は、このような状況に鑑み、上述の課題を解決し、複数の表示装置の設定を効率的に行うことができる技術を提供することにある。
【課題を解決するための手段】
【０００７】
本発明に係る装置は、相互に通信可能な表示装置に関する。このであって、表示装置は、当該表示装置の設定値を設定するとともに、他の表示装置で利用可能な設定値を設定する設定処理部と、他の表示装置に対して、設定された前記設定値をＰＬＣにより送信する通信部と、を備える。
また、前記通信部は、ＰＬＣによって他の表示装置から設定値を取得し、前記設定処理部は、前記他の表示装置から取得した前記設定値を当該表示装置の設定値として反映させてもよい。
また、前記設定処理部は、当該表示装置を他の表示装置で利用可能な設定値を設定するためにマスターとして機能させるか、または、他の表示装置からの設定値の設定を受けるスレーブとして機能させるかのいずれかを選択してもよい。
また、前記設定処理部における、当該表示装置の設定値を設定する処理及び、他の表示装置で利用可能な設定値を設定する処理において、ユーザからの操作可能にＯＳＤ表示する映像信号処理部を備えてもよい。
また、前記通信部は、ＰＬＣのためのＰＬＣアダプタを備えてもよい。
また、前記設定処理部は、ＰＬＣにより通信可能な他の表示装置を検知し、検知した前記他の表示装置の中から前記設定値を送信する対象を選択してもよい。
また、前記設定処理部は、他の表示装置に送信可能な設定値が複数項目あるときに、送信すべき設置値を選択してもよい。
また、前記設定処理部は、他の表示装置で利用可能な設定値を設定するときに、当該表示装置の設定値と比較可能に表示してもよい。
また、前記設定処理部は、他の表示装置で利用可能な設定値を設定するときに、前記他の表示装置に設定済みの設定値と、送信しようとする設定値とを比較して、比較の結果得られた差分のデータを、前記他の表示装置に対してＰＬＣにより送信してもよい。
また、当該表示装置または前記他の表示装置のいずれか一方の表示装置に、少なくともテレビ受像装置が含まれてもよい。
本発明の別の態様は、表示装置における設定方法に関する。この設定方法は、他の表示装置で利用可能な設定値を設定する設定工程と、前記設定値をＰＬＣによって他の表示装置に送信する設定値送信工程と、を備える。
また、ＰＬＣによって他の表示装置から当該表示装置で利用可能な設定値に関する設定データを取得する受信する設定値受信工程と、前記取得した設定データを当該表示装置の設定値として反映させる外部データ反映工程と、を備えてもよい。
また、前記設定工程は、当該表示装置の設定変更がなされたときに、その設定変更内容を他の表示装置で利用可能な前記設定値としてもよい。
また、ＰＬＣによって通信可能である他の表示装置を特定する接続表示装置特定工程と、前記設定値送信工程における前記設定値の送信対象を前記接続表示装置特定工程において特定された他の表示装置から選定する送信対象選択工程と、を備えてもよい。
また、前記送信対象選択工程は、当該表示装置の設定値と送信先となる他の表示装置の設定内容を比較可能に表示してもよい。
また、他の表示装置に送信する設定値を選択可能に表示する設定項目選択工程を備えてもよい。
また、前記設定項目選択工程は、当該表示装置の設定値と送信先となる他の表示装置の設定内容を比較可能に表示してもよい。
本発明のさらに別の態様は、記録媒体に関する。この記録媒体は、上記の設定方法を実行する表示装置の制御プログラムを記録したコンピュータ読み取り可能となっている。
本発明のさらに別の態様は、通信方法に関する。この通信方法は、マスターとして機能する表示装置と複数のスレーブとして機能する表示装置との間で、所定の設定値を送受信するための通信方法であって、前記マスターとして機能する表示装置が、前記スレーブとして機能する表示装置で設定可能な設定値を決定して、前記設定値をＰＬＣによって設定データとして、前記スレーブとして機能する表示装置に対して送信する設定値送信工程と、前記スレーブとして機能する表示装置が、前記マスターとして機能する表示装置より、前記設定値送信工程で送信された前記設定データをＰＬＣによって受信して、受信した前記設定データを前記スレーブとして機能する表示装置の設定値として反映する設定値受信工程と、を備える。
また、前記マスターとして機能する表示装置において、ＰＬＣによって通信可能である前記スレーブとして機能する表示装置を特定する接続表示装置特定工程と、前記接続表示装置特定工程において特定された前記スレーブとして機能する表示装置から、前記設定値送信工程における送信対象を選定する送信対象選択工程と、を備えてもよい。
【発明の効果】
【０００８】
本発明によれば、複数の表示装置の設定を効率的に行うことができる。
【発明を実施するための最良の形態】
【０００９】
つぎに、本発明を実施するための最良の形態（以下、単に「実施形態」という）を、図面を参照して具体的に説明する。以下の実施形態では、複数のテレビがＰＬＣ（Power Line Communications；電力線通信）を用いたネットワーク、つまり、電力線を利用したネットワークによって、相互に通信可能に接続されている。そして、マスターとなるテレビ（以下、「マスター側テレビ」という）の設定データが、スレーブとなるテレビ（以下、「スレーブ側テレビ」という）に対して送信され、マスター側テレビから送信された設定データがスレーブ側テレビに反映させる。
【００１０】
＜第１の実施形態＞
図１は、本実施形態に係る第１〜第６のテレビ１０ａ〜１０ｆが、分電盤（ブレーカ）２０から延びる電力線２１を介して６台接続されているネットワークシステム１００を示している。第１〜第６のテレビ１０ａ〜１０ｆはＰＬＣを行うために、ＰＬＣアダプタ（後述の「電力線モデム５１」）を搭載している。なお、第１〜第６のテレビ１０ａ〜１０ｆを区別しないときには、単に「テレビ１０」と略す。一般には、同一の分電盤２０から延びる電力線２１に接続するテレビ１０が相互にＰＬＣが可能となっている。また、本実施形態では、第１のテレビ１０ａがマスター側テレビとして機能し、第２〜第６のテレビ１０ｂ〜１０ｆがスレーブ側テレビとして機能する。したがって、第１のテレビ１０ａの設定データが、第２〜第６のテレビ１０ｂ〜１０ｆに反映される。
【００１１】
つぎにテレビ１０の構成について説明する。図２は、テレビ１０の概略構成を示す機能ブロック図である。図示のように、テレビ１０は、テレビ１０の各構成要素を統括的に制御する主制御部３０と、作業エリアや記憶エリアとして機能するメモリ３１と、電源回路３２と、ユーザから直接又はリモコン３５を介した操作を受け付けるユーザ操作取得部３３と、チューナ３４と、ＡＶ出力処理部４０と、通信部５０と、ＡＶ設定部６０と、表示部４３と、スピーカ４４とを備える。表示部４３は、例えば、液晶パネル及び駆動ドライバ、液晶コントローラ等からなる。
【００１２】
ＡＶ出力処理部４０は、チューナ３４から取得した映像信号や音声信号を所望の信号フォーマットに変換する。より具体的には、ＡＶ出力処理部４０は、映像信号の処理を行い表示部４３に出力する映像信号処理部４１と、音声信号の処理を行いスピーカ４４に出力する音声信号処理部４２とを備える。なお、映像信号処理部４１は、メニュー表示などのＯＳＤ（On Screen Display）処理のためのデータを主制御部３０から取得して、表示部４３へ出力する機能も備えている。
【００１３】
通信部５０は、電力線モデム５１と、通信データ処理部５２と、ＬＡＮ部５３とを備えている。ＬＡＮ部５３は、ＬＡＮ（Local Area Network）等の通信ネットワーク２２に接続して通信を行う。電力線モデム５１は、ＰＬＣを行うためのアダプタであって、ＰＬＣの所定の規格による通信のために、送信するデータに対して所定の符号化処理や圧縮処理を行い通信データを生成し、その通信データを電力線２１に重畳させる。また、電力線モデム５１は、電力線２１に重畳されて送信されてきた所定のＰＬＣ規格の通信データを復号処理及び解凍処理して、テレビ１０内で利用可能な形式の信号に変換する。通信データ処理部５２は、電力線モデム５１又はＬＡＮ部５３を介した通信の為のデータを生成したり、取得したデータをテレビ１０における処理のためのデータ形式に変換したりする。
【００１４】
ＡＶ設定部６０は、設定処理部６１と、設定データ記憶部６２と、マスターデータ記憶部６３と、スレーブデータ記憶部６４とを備える。
【００１５】
設定処理部６１は、ユーザからの映像調整や音声調整などの設定の操作を受け付け、受け付けた設定を反映させる。映像調整の項目として、例えば、「バックライト」、「コントラスト」、「ブライトネス（輝度）」、「色温度」、「ノイズ低減処理（ＮＲ）」がある。音声調整の項目として、例えば、「高音」、「低音」、「バランス」、「サラウンド」等がある。ユーザからの映像調整や音声調整に関する設定の操作があると、設定処理部６１は、主制御部３０を介して映像信号処理部４１に対して設定画面をＯＳＤ表示するように指示する。また、設定処理部６１は、ユーザによる設定を設定データ記憶部６２に記憶する。また、設定処理部６１は、マスター側テレビ（第１のテレビ１０ａ）として機能する場合に、スレーブ側テレビ（第２〜第６のテレビ１０ｂ〜１０ｆ）に対して送信する設定データをマスターデータ記憶部６３に記憶する。さらに、スレーブ側テレビとして機能するときには、マスター側テレビから取得した設定データを反映させるとともに、スレーブデータ記憶部６４に記憶する。
【００１６】
つぎに、図３〜５をもとに、設定画面による映像調整について説明する。図３は、テレビ１０をマスター側テレビとするかスレーブ側テレビとするかを設定するための画面例であり、テレビ１０は、ＯＳＤ表示によりユーザの設定操作を受け付ける。ユーザがリモコン３５の操作等することで設定画面の表示選択がなされると、設定処理部６１は、図示のような設定画面Ｃ１を表示部４３に表示する。具体的には、設定画面Ｃ１の上端の領域には、帯状の領域が「大項目」Ｃ１０が設けられ、「大項目」Ｃ１０は、「本体設定」Ｃ１１、「映像調整」Ｃ１２、「音声調整」Ｃ１３、「グループ設定」Ｃ１４の領域が選択可能に設けられている。図示では、「グループ設定」Ｃ１４が選択され、選択されている旨が強調表示されている。また、画面左側の「中項目」Ｃ１５には、どのような項目が表示されているか示されている。
【００１７】
そして、ユーザは、詳細設定領域Ｄ１０には、略中央の選択領域Ｄ１１において、マスター側テレビとして機能させる「マスター」またはスレーブ側テレビとして機能させる「スレーブ」が選択可能に表示されている。ここでは、「マスター」が選択されている状態が示されている。ユーザは、「マスター」または「スレーブ」の一方を選択して、下側に配置されている「設定完了」ボタンＤ１２を押下する。「マスター」または「スレーブ」のいずれが選択されたかは、設定データ記憶部６２に記憶される。
【００１８】
図４は、「映像調整」Ｃ１２が選択されたときに表示されるＡＶモードの調整のための画面例であり、詳細設定領域Ｄ２０において、「スタンダード」「ダイナミック」「シネマ」「ゲーム」の４種類のＡＶモードそれぞれに関して、「バックライト」「コントラスト」「ブライトネス」「シャープネス」「色温度」「ノイズ低減処理」の調整項目について調整可能になっている。上記のＡＶモードとは、再生するコンテンツ等に応じて予め記憶された映像調整や音声調整に関する設定群であり、例えば、「スタンダード」が選択されている場合、ユーザが通常視聴するときの調整項目の値がテレビ１０に反映され、「シネマ」が選択されている場合、ユーザが映画のコンテンツを視聴するときに好適に調整された調整項目の値がテレビ１０に反映される。
【００１９】
より具体的に説明すると、モード選択領域Ｄ２１において、「スタンダード」「ダイナミック」「シネマ」「ゲーム」のいずれのＡＶモードを調整するかが選択可能になっている。ここでは、３番目の「シネマ」モードが選択された状態が示されている。さらに、モード選択領域Ｄ２１の下側の項目調整領域Ｄ２２では、「バックライト」「コントラスト」「ブライトネス」「シャープネス」「色温度」「ノイズ低減処理」の調整項目について調整可能となっている。ここでは、「バックライト」が「０」、「コントラスト」が「３」、「ブライトネス」が「−１１」、「シャープネス」が「３」、「色温度」が「Ｍｉｄ（中）」、「ノイズ低減処理」が「オフ」である。ユーザは、リモコン３５を操作することで、各調整項目を所望の値に設定することができる。そして、設定が終了したら、ユーザは、「設定完了」ボタンＤ２３を押下することで、変更した値が反映され、設定データ記憶部６２に記憶される。
【００２０】
図５は、テレビ１０がマスター側テレビ（第１のテレビ１０ａ）として機能するときに、映像調整や音声調整の設定データをスレーブ側テレビに送信するか否かを確認するために表示される画面例である。この画面は、ユーザが図３で示した設定画面において、マスター側テレビとして機能させる「マスター」が選択されているときに表示され、スレーブ側テレビとして機能させる「スレーブ」が選択されているときは表示されない。そして、図示の画面の送信確認領域Ｄ３０において、「はい」ボタンＤ３１が押下されると、図１に示した第２〜第６のテレビ１０ｂ〜１０ｆに対して、通信データ処理部５２、電力線モデム５１により所定のデータ処理が施され、電力線２１を介して設定データが送信される。そして、第２〜第６のテレビ１０ｂ〜１０ｆでは、電力線モデム５１及び通信データ処理部５２が電力線２１から取得したデータに、所定の復号処理等を施し主制御部３０を介して設定処理部６１に通知される。第２〜第６のテレビ１０ｂ〜１０ｆの設定処理部６１は、第１のテレビ１０ａから送信されてきた設定データを各ＡＶモードに反映させる。なお、「いいえ」ボタンＤ３２が押下された場合は、設定データの送信処理はなされない。
【００２１】
つぎに、図６のフローチャートをもとに、マスター側テレビ（第１のテレビ１０ａ）からスレーブ側テレビ（第２〜第６のテレビ１０ｂ〜１０ｆ）への設定データの上記送信処理について簡単にまとめて説明する。
【００２２】
ユーザが、図４に示した設定画面において、ＡＶモードの調整項目の変更を行い、「設定完了」ボタンＤ２３を押下すると、まず、ＡＶモードの設定処理がそのテレビ１０に反映される（Ｓ１０）。つぎに、設定処理部６１は、設定データ記憶部６２を参照して、テレビ１０がマスター側テレビに設定されているか否かを判定する（Ｓ１１）。
【００２３】
テレビ１０がスレーブ側テレビに設定されている場合（Ｓ１１のＮ）、設定データの送信等はなされずに、ＡＶモードの設定処理が終了し本フローチャートの処理が終了する。テレビ１０がマスター側テレビに設定されている場合（Ｓ１１のＹ）、設定処理部６１は、図５に示した送信確認画面を表示させ（Ｓ１２）、変更された設定データをスレーブ側テレビに対して送信するか否かをユーザに確認する（Ｓ１３）。
【００２４】
「いいえ」ボタンＤ３２の押下により送信しない旨が選択された場合（Ｓ１３のＮ）、ＡＶモードの設定処理が終了する。「はい」ボタンＤ３１の押下により送信する旨が選択された場合（Ｓ１３のＹ）、設定処理部６１は、通信データ処理部５２、電力線モデム５１を介して、設定データをスレーブ側テレビに送信し（Ｓ１４）、ＡＶモードの設定処理が終了する。
【００２５】
つづいて、図７のフローチャートをもとに、スレーブ側テレビ（第２〜第６のテレビ１０ｂ〜１０ｆ）がマスター側テレビ（第１のテレビ１０ａ）からの設定データを取得したときの処理について簡単に説明する。
【００２６】
第２〜第６のテレビ１０ｂ〜１０ｆの通信データ処理部５２は、マスター側テレビ（第１のテレビ１０ａ）から電力線２１（電力線モデム５１）を介した設定データの送信があるか否かを監視し（Ｓ２０）、設定データが受信されない場合（Ｓ２１のＮ）、その監視を係属する（Ｓ２０）。設定データが受信されると（Ｓ２１のＹ）、主制御部３０は設定データを取得し、その設定データの通知を受けた設定処理部６１は、第１のテレビ１０ａから送信されてきた設定データを各ＡＶモードに反映させ（Ｓ２２）、本フローチャートによる処理が終了する。
【００２７】
なお、本実施形態では、マスター側テレビ（第１のテレビ１０ａ）からスレーブ側テレビに送信される設定データは、映像調整に関するデータであったが、これに限る趣旨ではない。例えば、音声調整に関するデータや、明るさセンサ（光センサ）に関する設定データであってもよい。また、テレビ１０がスレーブ側テレビとして機能するときに、ユーザから一時的にマスター側テレビの設定データの受信を拒否する設定操作がなされてもよい。
【００２８】
本実施形態によると、マスター側テレビ（第１のテレビ１０ａ）におけるＡＶモードの設定データを、ＰＬＣによってスレーブ側テレビ（第２〜第６のテレビ１０ｂ〜１０ｆ）に送信できる。これによって、従来のように、それぞれのテレビ１０の設置場所において設定処理をすることが不要となり、作業時間の低減をすることができる。
【００２９】
また、ＰＬＣによる通信であり、電力線で電力供給と通信とを両方カバーするので、配線が複雑になってしまうことを防止できる。また、ＰＬＣでは同一の分電盤２０から延びる電力線２１に接続されているテレビ１０同士では良好な通信が可能だが、分電盤２０を越える通信は、データが弱くなるため、難しいという特徴がある。この特徴を利用して、同一の分電盤２０から延びる電力線２１に接続されている複数のテレビ１０を一つのグループとして管理することができる。
【００３０】
また、電力線２１の所定の場所に、一般的なノイズフィルタを設置することで、そのノイズフィルタを越えたＰＬＣ通信ができなくなる。その特性を利用することで、分電盤２０とは無関係に、グループ管理が容易となる。ホテルなどにおいては、部屋の環境によって、テレビ１０の映像調整が求められることがある。例えば、１階の部屋と１０階の部屋とでは、部屋の明るさが異なる場合がある。本実施形態によれば、部屋のある階単位で設定変更を簡単に行うことができる。
【００３１】
＜第２の実施形態＞
本実施形態では、マスター側テレビからの設定データの送信を、映像調整の変更のときになされるのではなく、送信すべき設定データを予め記録しておき、ユーザが所望のタイミングで選択して送信する。なお、テレビ１０の構成は第１の実施形態と同一の構成（図２参照）で実現できるので、構成の説明は省略し、主に設定画面例及び処理について説明する。
【００３２】
図８は、本実施形態のテレビ１０において、「映像調整」Ｃ１２が選択されたときに表示される画面例であり、図４の画面例と異なる部分は、「記憶」ボタンＤ２４を設けた点にある。ユーザが、「設定完了」ボタンＤ２３の代わりに、設定名入力領域Ｄ２５に所望の名称を入力後「記憶」ボタンＤ２４を押下すると、設定が反映されるのではなく、変更した設定内容が設定処理部６１によってマスターデータ記憶部６３に記憶される。ここでは、設定名入力領域Ｄ２５に設定名「Ｎ２」が入力されている。
【００３３】
図９は、本実施形態のテレビ１０において、マスター側テレビからスレーブ側テレビに対して設定データを送信するときに表示される画面例である。図５とは異なり、ここでは、ユーザはまず、信データ選択領域Ｄ３３において表示される設定データの中から、送信する設定データを一つ選択する。この画面例では、「現在の設定」、設定名「Ｄ１」、設定名「Ｄ２」、設定名「Ｎ１」、設定名「Ｎ２」の５種類の設定データが選択可能になっており、ここでは、設定名「Ｄ２」が選択されている。そして、「はい」ボタンＤ３１が押下されると、マスター側テレビからスレーブ側テレビへ、選択された設定データが送信される。
【００３４】
以上、本実施形態によると、第１の実施形態と同様の効果が得られるとともに、マスター側テレビに記憶されている設定データを、ユーザの任意のタイミングで送信できるので、例えば、昼と夜に異なる設定データを送信したり、天候に応じて異なる設定データを送信したりといった処理が、簡単な作業により行える。また、スレーブ側テレビに送信する設定データを、マスター側テレビにおいて実際に反映されている設定データと異なるものを送信することができる。
【００３５】
＜第３の実施形態＞
本実施形態の概要は、マスター側テレビがスレーブ側テレビに対して設定データを送信するときに、送信対象となるスレーブ側テレビがＩＤ（認証番号）により管理される。さらに、送信する設定データの内容、具体的には、ＡＶモードの全てのモードが送信されるのではなく、送信するモードを選択できるようになっている。また、送信する設定データをマスター側テレビとスレーブ側テレビとで比較できるようになっている。さらに、スレーブ側テレビにおいて、ＡＶモードの設定変更がなされた場合は、その変更を優先すべく、所定期間変更されない。以下、詳細に説明する。
【００３６】
図１０は、第１〜第７のテレビ１０ａ〜１０ｇが、分電盤２０から延びる電力線２１を介して７台接続されているネットワークシステム２００を示している。第１〜第７のテレビ１０ａ〜１０ｇはＰＬＣを行うために、ＰＬＣアダプタ（後述の「電力線モデム５１」）を搭載している。第１〜第７のテレビ１０ａ〜１０ｇにはそれぞれに、「２０１」〜「２０７」のＩＤが付与されている。そして、第１のテレビ１０ａ及び第７のテレビ１０ｇがマスター側テレビとして機能し、第２〜第５のテレビ１０ｂ〜１０ｅが第１のテレビ１０ａをマスターとするスレーブ側テレビとして機能する。さらに、第１〜第３のテレビ１０ａ〜１０ｃは、「Ｎ」グループに含まれ、第４〜第５のテレビ１０ｄ〜１０ｅは「Ｓ」グループに含まれる。なお、どのようなグループに含まれるかは、任意に設定及び変更可能である。そして、第１〜第７のテレビ１０ａ〜１０ｇは、第１の実施形態のテレビ１０と同様の構成（図２参照）で実現できるので、構成の説明は省略し、主に設定画面例及び処理について説明する。
【００３７】
図１１は、ＩＤ登録及びグループ登録をするときに表示される設定画面例を示している。ユーザは、ＩＤを設定するために設定領域４０のＩＤ登録領域Ｄ４１に所望のＩＤを入力する。例えば、ホテルに設置されるテレビ１０であれば、部屋番号に対応したＩＤを設定することで管理が容易になる。ここでは、ＩＤ「２０１」が入力されている。つぎに、ユーザは、必要に応じて、グループ登録を行う。ネットワークシステム２００に接続されているいずれかのテレビ１０に設定されているグループを設定する場合は、グループ選択領域Ｄ４２を操作して所望のグループを選択する。また、新しくグループを登録する場合は、グループ登録領域Ｄ４３に、ユーザは、所望のグループ名を入力する。グループの設定を行わない場合は、グループ選択領域Ｄ４２及びグループ登録領域Ｄ４３は空欄とされる。ここでは、グループ「Ｓ」が選択されている。ＩＤ及びグループの入力又は選択等が終了したら、ユーザは、「設定完了」ボタンＤ４４を押下する。これによって、所望のＩＤ及びグループが設定データ記憶部６２に登録される。
【００３８】
図１２は、マスター側テレビ（第１のテレビ１０ａ）に設定されたときに、設定データの送信対象、つまり対象とするスレーブ側テレビの設定を行うための画面例である。ネットワークシステム２００で電力線２１に接続され通信可能なテレビ１０のＩＤが、設定領域Ｄ５０のスレーブ側テレビ選択領域Ｄ５１で選択可能に表示される。この画面が表示されるときに、マスター側テレビの設定処理部６１は、スレーブ側テレビに対してＩＤを送信するように要求する。スレーブ側テレビまたは他のマスター側テレビのスレーブとして設定されていないテレビは、自身のＩＤを、送信要求してきたスレーブ側テレビに通知する。ここでは、ＩＤ「２０２」「２０３」「２０４」「２０５」のテレビ１０（第２〜第５のテレビ１０ｂ〜１０ｅ）がスレーブ側テレビとして選択されており、ＩＤ「２０６」の第６のテレビ１０ｆは選択されていない。したがって、図示のように選択されている場合には、第１のテレビ１０ａは、上述の設定データを第２〜第５のテレビ１０ｂ〜１０ｅに送信し、第６のテレビ１０ｆには送信しない。より具体的には、第１のテレビ１０ａが送信する設定データには、対象となるテレビ１０のＩＤが含まれており、その設定データを取得したスレーブ側テレビが、自身のＩＤが含まれているときに取得した設定データを反映させる。
【００３９】
図１３は、スレーブ側テレビ（第２〜第５のテレビ１０ｂ〜１０ｅ）で、設定データの送信元であるマスター側テレビ（第１のテレビ１０ａ）を登録するための画面例である。マスター側テレビ設定領域Ｄ６１には、ネットワークシステム２００で電力線２１に接続され通信可能なマスター側テレビのＩＤが選択可能に表示される。この画面が表示されるときに、スレーブ側テレビの設定処理部６１は、マスター側テレビ（第１及び第７のテレビ１０ａ、１０ｇ）に対してＩＤを送信するように要求する。マスター側テレビの設定処理部６１は、自身のＩＤを送信要求してきたスレーブ側テレビに通知する。ここではＩＤが「２０１」「２０７」のテレビ１０（１０ａ、１０ｇ）が、マスター側テレビとして設定可能に表示され、ＩＤ「２０１」の第１のテレビ１０ａが、選択されている。
【００４０】
図１４は、マスター側テレビのマスターデータ記憶部６３に記録されるスレーブ側テレビの設定データである。図示のように、スレーブ側テレビのＩＤ、グループ、変更履歴、各ＡＶモードの設定内容が含まれている。例えば、ＩＤ「２０５」のテレビ１０（第４のテレビ１０ｄ）では、「１月１日の１８：００」に設定変更がなされた旨が記録されている。マスター側テレビは、スレーブ側テレビに対して設定データを送信する前に、まず、マスター側テレビに対して、ＡＶモードの各モードに設定されているパラメータ等及び変更履歴を要求する。スレーブ側テレビは、その要求を受けて、自身に設定されているパラメータ等及び変更履歴をマスター側テレビへ通知する。
【００４１】
つぎに、設定データの送信について説明する。例えば、図１５は、設定データの送信先（スレーブ側テレビ）と送信するＡＶモードとを選択するための画面である。この画面は、図４や図８で説明した設定画面において、ＡＶモードの設定変更が終了すると、表示される。
【００４２】
上側部分に表示される送信選定領域Ｄ６０において、まず、ユーザは、スレーブ側テレビの設定を確認するか否かを選択する。確認する場合には、ユーザは、「はい」ボタンＤ６１を押下する。「はい」ボタンＤ６１が押下された場合、後述の図１６で説明する画面に移る。特に確認を要しない場合は、図１５において、ユーザは「はい」ボタンＤ６１を押下せずに、以降の選択に移る。送信選定領域Ｄ６０の中央部分の送信先選択領域Ｄ６２に、スレーブ側テレビのＩＤとして「２０２」「２０３」「２０４」「２０５」の４つが、表示されている。ここでは、ＩＤの他にグループも一緒に表示されている。そして、ＩＤ「２０５」に関しては、そのスレーブ側テレビ（第５のテレビ１０ｄ）において直近にユーザによる設定の変更がなされているため、マスター側テレビからは設定変更ができない旨が表示されている。
【００４３】
つぎに、ユーザは、送信モード選択領域Ｄ６３において、送信するモードを「スタンダード」「ダイナミック」「シネマ」「ゲーム」から選択する。ここでは、「ダイナミック」モードと「シネマモード」の二つのモードについて、マスター側テレビの設定値と異なっている。そこでこれら二つのモードが送信するＡＶモードとして選択されている。最後に、ユーザは、「確定」ボタンＤ６４を押下することで、選択されたスレーブ側テレビに対して選択されたモードの設定データが送信される。
【００４４】
図１６は、図１５の画面でスレーブ側テレビの設定を確認するために「はい」ボタンＤ６１が押下されたときに表示される画面で、マスター側テレビとスレーブ側テレビとに設定されている各ＡＶモードを比較して送信するモードを選択可能になっている。
【００４５】
図示のように、設定データ選択領域Ｄ７０では、上側のマスター側設定内容表示領域Ｄ７１にマスター側テレビのＡＶモードの設定内容が表示され、下側のスレーブ側設定内容表示領域Ｄ７２にスレーブ側テレビのＡＶモードの設定内容が表示されている。そして、ユーザは、マスター側設定内容表示領域Ｄ７１とスレーブ側設定内容表示領域Ｄ７２との表示内容を比較しながら、送信するモードを選択することができる。スレーブ側設定内容表示領域Ｄ７２には、ＩＤが「２０４」と「２０５」であるスレーブ側テレビについて表示されており、ＩＤ「２０５」のスレーブ側テレビについては、設定変更ができない旨が示されている。また、ＩＤ「２０４」のスレーブ側テレビについては、「ダイナミック」モードと「シネマ」モードが送信すべく選択されている。そして、送信するモードの選択が終了したら、ユーザは「送信」ボタンＤ７３を押下して設定データを送信する。
【００４６】
つぎに、図１７のフローチャートをもとに、テレビ１０において設定変更がなされたときの上記の処理について簡単にまとめて説明する。
【００４７】
送信すべきＡＶモードの設定が終了すると（Ｓ３０）、設定処理部６１は、テレビ１０がマスター側テレビであるかスレーブ側テレビであるかを判断する（Ｓ３１）。スレーブ側テレビである場合（Ｓ３１のＮ）設定変更の履歴を設定データ記憶部６２に記録して（Ｓ３２）、設定変更が終了する。マスター側テレビである場合（Ｓ３１のＹ）、マスター側テレビの設定処理部６１は、設定変更のための設定データを送信する対象（スレーブ側テレビ）およびそのＡＶモードの設定内容を取得し（Ｓ３３）、マスター側テレビの設定内容とスレーブ側テレビの設定内容を比較可能に表示する（Ｓ３４）。
【００４８】
つづいて、ユーザは、設定データの送信先として所望のスレーブ側テレビを選択しさらに送信すべきＡＶモードを選択し（Ｓ３５）、それら選択が終了すると、選択したスレーブ側テレビに対して選択したＡＶモードを設定データとして送信する（Ｓ３６）。
【００４９】
本実施形態によると、第１及び第２の実施形態と同様の効果が得られるとともに、マスター側テレビ及びスレーブ側テレビをＩＤで管理するため、より細やかな設定変更が可能となる。また、スレーブ側テレビに設定変更すべきＡＶモードを、マスター側テレビで確認しながら調整することができる。また、設定変更すべきＡＶモードのみをマスター側テレビで反映させることができる。言い換えると、現在マスター側テレビに設定されているデータと、設定しようとしているデータを比較して、異なる差分データを送信することになり、送信すべきデータ量を少なくすることができ、反映のための時間を短縮することができる。なお、実施形態では、Ｓ３６のステップで示したように、ＡＶモード単位で、データを送信したが、さらに、項目単位で異なる設定値（差分データ）を送信することも可能である。
【００５０】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、実施形態では、表示装置としてテレビについて例示したが、その他に、モニターやＤＶＤレコーダ、ＨＤＤレコーダ等の表示装置についても、上記の技術を提供することができる。
【図面の簡単な説明】
【００５１】
【図１】第１の実施形態に係る、第１〜第６のテレビが、電力線を介して接続されているネットワークシステムを示した図である。
【図２】第１の実施形態に係る、テレビの概略構成を示した機能ブロック図である。
【図３】第１の実施形態に係る、テレビをマスター側テレビとするかスレーブ側テレビとするかを設定するための画面例を示した図である。
【図４】第１の実施形態に係る、ＡＶモードの調整のための画面例を示した図である。
【図５】第１の実施形態に係る、設定データをスレーブ側テレビに送信するか否かを確認するために表示される画面例を示した図である。
【図６】第１の実施形態に係る、マスター側テレビからスレーブ側テレビへの設定データの送信処理を示したフローチャートである。
【図７】第１の実施形態に係る、スレーブ側テレビがマスター側テレビからの設定データを取得したときの処理を示したフローチャートである。
【図８】第２の実施形態に係る、ＡＶモードの調整のための画面例を示した図である。
【図９】第２の実施形態に係る、マスター側テレビからスレーブ側テレビに対して設定データを送信するときに表示される画面例を示した図である。
【図１０】第３の実施形態に係る、第１〜第７のテレビが、電力線を介して接続されているネットワークシステムを示した図である。
【図１１】第３の実施形態に係る、ＩＤ登録及びグループ登録をするときに表示される設定画面例を示した図である。
【図１２】第３の実施形態に係る、マスター側テレビに設定されたときに、スレーブ側テレビの設定を行うための画面例を示した図である。
【図１３】第３の実施形態に係る、スレーブ側テレビで、設定データの送信元であるマスター側テレビを登録するための画面例を示す図である。
【図１４】第３の実施形態に係る、マスター側テレビのマスターデータ記憶部に記録されるスレーブ側テレビの設定データを示した図である。
【図１５】第３の実施形態に係る、設定データの送信先（スレーブ側テレビ）と送信するＡＶモードとを選択するための画面例を示した図である。
【図１６】第３の実施形態に係る、マスター側テレビとスレーブ側テレビとに設定されている各ＡＶモードを比較して送信するモードを選択可能に表示された画面例を示した図である。
【図１７】第３の実施形態に係る、テレビにおいて設定変更がなされたときの処理を示したフローチャートである。
【符号の説明】
【００５２】
１０  テレビ
２１  電力線
３０  主制御部
３１  メモリ
３２  電源回路
３３  ユーザ操作取得部
４０  ＡＶ出力処理部
４１  映像信号処理部
４２  音声信号処理部
５０  通信部
５１  電力線モデム
５２  通信データ処理部
６０  ＡＶ設定部
６１  設定処理部
６２  設定データ記憶部
６３  マスターデータ記憶部
６４  スレーブデータ記憶部
【図１】
2010103727.tif 000003
【図２】
2010103727.tif 000004
【図３】
2010103727.tif 000005
【図４】
2010103727.tif 000006
【図５】
2010103727.tif 000007
【図６】
2010103727.tif 000008
【図７】
2010103727.tif 000009
【図８】
2010103727.tif 000010
【図９】
2010103727.tif 000011
【図１０】
2010103727.tif 000012
【図１１】
2010103727.tif 000013
【図１２】
2010103727.tif 000014
【図１３】
2010103727.tif 000015
【図１４】
2010103727.tif 000016
【図１５】
2010103727.tif 000017
【図１６】
2010103727.tif 000018
【図１７】
2010103727.tif 000019